(57)【要約】【課題】直流用移送モータ又は交流用移送モータを適用した煙案内装置を駆動させるための駆動回路を有する壁掛け型電子レンジの煙案内装置を提供する。【解決手段】煙案内装置を制御するマイコンの代わりに、煙案内装置の案内板の移動位置によってオン又はオフされるリミットスイッチ、排気モータの作動時、電源を受けるリレーコイル、及び該リレーコイルの電源供給によりオン又はオフされる複数のリレースイッチから、前記煙案内装置を駆動させるための駆動回路を具現する。【選択図】　　図２
2004061098.tif 000002
【特許請求の範囲】
【請求項１】
電子レンジの下部の煙を外部へ排出させる排気モータ、前記煙を案内する案内板、及び前記案内板を初期位置と案内位置との間で移動させる移送モータを有する壁掛け型電子レンジの煙案内装置の制御装置において、
前記排気モータの作動により前記移動板を前記案内位置と前記初期位置との間で移動させるため、電源を前記移送モータに供給するスイッチング部と、
前記案内板が前記案内位置に到達すると、前記移送モータへの電源供給を遮断する第１リミットスイッチと、
前記案内板が前記初期位置に到達すると、前記移送モータへの電源供給を遮断する第２リミットスイッチとを含んでなることを特徴とする壁掛け型電子レンジの煙案内装置の制御装置。
【請求項２】
前記案内板は、前記案内位置を感知するのに用いられる感知切欠部を含み、前記第１リミットスイッチは、前記案内板が前記案内位置に到達すると、前記感知切欠部内に突出して挿入される端子によりオン又はオフされることを特徴とする請求項１に記載の壁掛け型電子レンジの煙案内装置の制御装置。
【請求項３】
前記第２リミットスイッチは、前記案内板が前記初期位置に到達すると、前記案内板により押し込まれる端子によりオン又はオフされることを特徴とする請求項１に記載の壁掛け型電子レンジの煙案内装置の制御装置。
【請求項４】
前記スイッチング部は、
前記排気モータが作動すると、外部交流電源が供給されるリレーコイルと、
平常時にはオフされ、前記リレーコイルに交流電源が供給されるとオンされる多数の第１リレースイッチと、
平常時にはオンされ、前記リレーコイルに交流電源が供給されるとオフされる多数の第２リレースイッチとを含むことを特徴とする請求項１に記載の壁掛け型電子レンジの煙案内装置の制御装置。
【請求項５】
電子レンジの下部の煙を外部へ排出させる排気モータ、前記煙を案内する案内板、及び直流電源を受けて前記案内板を初期位置と案内位置との間で移動させる移送モータを有する壁掛け型電子レンジの煙案内装置の制御装置において、
前記排気モータの作動により前記移動板を前記案内位置と前記初期位置との間で移動させるため、直流電源を前記移送モータに供給するスイッチング部と、
前記案内板が前記案内位置に到達すると、前記移送モータへの直流電源供給を遮断する第１リミットスイッチと、
前記案内板が前記初期位置に到達すると、前記移送モータへの直流電源供給を遮断する第２リミットスイッチとを含んでなることを特徴とする壁掛け型電子レンジの煙案内装置の制御装置。
【請求項６】
前記案内板は、前記案内位置を感知するのに用いられる感知切欠部を含み、前記第１リミットスイッチは、前記案内板が前記案内位置に到達すると、前記感知切欠部内に突出して挿入される端子によりオン又はオフされることを特徴とする請求項５に記載の壁掛け型電子レンジの煙案内装置の制御装置。
【請求項７】
前記第２リミットスイッチは、前記案内板が前記初期位置に到達すると、前記案内板により押し込まれる端子によりオン又はオフされることを特徴とする請求項５に記載の壁掛け型電子レンジの煙案内装置の制御装置。
【請求項８】
前記スイッチング部は、
前記排気モータが作動すると、外部交流電源が供給されるリレーコイルと、
平常時にはオフされ、前記リレーコイルに交流電源が供給されるとオンされる多数の第１及び第２リレースイッチと、
平常時にはオンされ、前記リレーコイルに交流電源が供給されるとオフされる第３及び第４リレースイッチとを含むことを特徴とする請求項５に記載の壁掛け型電子レンジの煙案内装置の制御装置。
【請求項９】
前記制御装置は、前記交流電源を変換して直流電源を提供する電子レンジの整流部に接近できるようにし、前記第１リレーの第１端部は前記直流電源に連結され、第２端部は前記移送モータの負（−）入力端子に連結され、前記第２リレースイッチの第１端部は前記移送モータの正（＋）入力端子に連結され、第２端部は前記第１リミットスイッチに連結され、前記移送モータには、前記案内板が前記初期位置から前記案内位置に移動すると、前記第１リレースイッチ、前記第２リレースイッチ、及び第１リミットスイッチを介して前記直流電源が供給されることを特徴とする請求項８に記載の壁掛け型電子レンジの煙案内装置の制御装置。
【請求項１０】
前記制御装置は、前記交流電源を変換して直流電源を提供する電子レンジの整流部に接近できるようにし、前記第３リレーの第１端部は前記直流電源に連結され、第２端部は前記移送モータの負（＋）入力端子に連結され、前記第４リレースイッチの第１端部は前記移送モータの負（−）入力端子に連結され、第２端部は前記第２リミットスイッチに連結され、前記移送モータには、前記案内板が前記案内位置から前記初期位置に移動すると、前記第３リレースイッチ、前記第４リレースイッチ、及び第２リミットスイッチを介して前記直流電源が供給されることを特徴とする請求項８に記載の壁掛け型電子レンジの煙案内装置の制御装置。
【請求項１１】
下部の煙を電子レンジの外部へ排出させる排気モータと前記煙を案内する案内板とを有する壁掛け型電子レンジの煙案内装置において、
交流電源を受けて前記案内板を初期位置又は案内位置に移動させる移送モータと、
前記排気モータが作動すると前記案内板を前記案内位置に移動させるために前記移送モータに交流電源を供給し、前記排気モータの作動が停止されると前記案内板を前記初期位置に移動させるために前記移送モータに交流電源供給するスイッチング部と、
前記案内板が前記案内位置に到達すると前記移送モータに供給される交流電源を遮断する第１リミットスイッチと、
前記案内板が前記初期位置に到達すると前記移送モータに供給される交流電源を遮断する第２リミットスイッチとを含んでなることを特徴とする壁掛け型電子レンジの煙案内装置。
【請求項１２】
前記案内板は前記案内位置を感知するのに用いる感知切欠部を含み、前記第１リミットスイッチは、前記案内板が前記案内位置に到達すると前記感知切欠部内に突出して挿入される端子によりオン又はオフされることを特徴とする請求項１１に記載の壁掛け型電子レンジの煙案内装置。
【請求項１３】
前記第２リミットスイッチは、前記案内板が前記初期位置に到達すると、前記案内板により内部に押し込まれた端子によりオン又はオフされることを特徴とする請求項１１に記載の壁掛け型電子レンジの煙案内装置。
【請求項１４】
前記スイッチング部は、
前記排気モータが作動すると交流電源が供給され、前記排気モータの作動が停止すると交流電源が遮断されるリレーコイルと、
平常時にはオフされ、交流電源が前記リレーコイルに供給されるとオンされる第１リレースイッチと、
平常時にはオンされ、交流電源が前記リレーコイルに供給されるとオフされる第２リレースイッチとを含むことを特徴とする請求項１１に記載の壁掛け型電子レンジの煙案内装置。
【請求項１５】
前記第１リレースイッチは交流電源に連結され、前記第１リミットスイッチは前記第１リレースイッチに直列で連結され、前記移送モータには、前記案内板が前記初期位置から前記案内位置に移動すると、前記第１リレースイッチと前記第１リミットスイッチを介して交流電源が供給されることを特徴とする請求項１４に記載の壁掛け型電子レンジの煙案内装置。
【請求項１６】
前記第２リレースイッチは交流電源に連結され、前記第２リミットスイッチは前記第２リレースイッチに直列で連結され、前記移送モータには、前記案内板が前記案内位置から前記初期位置に移動すると、前記第２リレースイッチと前記第２リミットスイッチを介して交流電源が供給されることを特徴とする請求項１４に記載の壁掛け型電子レンジの煙案内装置。
【請求項１７】
前記煙案内装置はマイコンを用いず前記案内板を作動させることを特徴とする請求項１に記載の壁掛け型電子レンジの煙案内装置の制御装置。
【請求項１８】
飲食物を調理する加熱部と、
飲食物を収容する調理室と、
調理装置の下部で発生する加熱ガスを調理装置の外部へ排出する排気モータと、
煙を前記排気モータに案内する煙案内部とを含んでなり、
前記煙案内部は、
前記煙案内部に移動可能に提供された案内板と、
前記案内板を案内位置と初期位置との間で移動させる移送モータと、
前記排気モータの作動により前記案内板を前記案内位置又は前記初期位置に移動させるため、前記移送モータに電源を供給するスイッチング部と、
前記案内板が前記案内位置に到達すると前記移送モータに供給される電源を遮断する第１リミットスイッチと、
前記案内板が前記初期位置に到達すると前記移送モータに供給される電源を遮断する第２リミットスイッチとを含むことを特徴とする装着型調理装置。
【請求項１９】
前記煙案内部は、
前記案内板を収容する両側案内溝を有する案内部材と、
前記案内板の下部に提供するラックギヤと、
前記ラックギヤと噛み合って前記案内板を移動させるため、前記移送モータに提供されるピニオンギヤとをさらに含むことを特徴とする請求項１８に記載の装着型調理装置。
【請求項２０】
前記調理装置は、加熱されたガスの温度が所定温度以上であるとオンされるサーモスタットをさらに含み、前記排気モータは前記移送モータを制御するため前記サーモスタットがオンされると電源を受けて動作することを特徴とする請求項１８に記載の装着型調理装置。
【請求項２１】
前記スイッチング部は、前記排気モータが作動すると前記案内板を前記案内位置に移動させるために前記移送モータに電源を供給し、前記排気モータが停止すると前記案内板を前記処理位置に移動させるために前記移送モータに電源を供給することを特徴とする請求項２０に記載の装着型調理装置。
【請求項２２】
前記移送モータは直流用移送モータを含み、
前記煙案内部は、受けた電圧レベルを減少させるための低電圧トランスと、前記スイッチング部が直流電源を前記直流用移送モータに供給するようにするため、電源を直流電源に変換する整流部とをさらに含むことを特徴とする請求項１８に記載の装着型調理装置。
【請求項２３】
前記移送モータは交流用移送モータであることを特徴とする請求項１８に記載の装着型調理装置。
【請求項２４】
前記煙案内部はマイコンを用いず前記案内板を作動させることを特徴とする請求項１８に記載の装着型調理装置。
【請求項２５】
下部で発生する加熱ガスを電子レンジの外部へ排出させる排気モータを有する壁掛け型電子レンジの煙案内装置において、
加熱ガスを前記排気モータに案内する案内板と、
前記案内板を初期位置と案内位置との間で移動させる移送モータと、
前記排気モータの作動により前記案内板を前記案内位置と前記初期位置との間で移動させるため、前記移送モータに電源を供給するスイッチング部と、
前記案内板が前記案内位置に到達すると、前記移送モータに供給される電源を遮断する第１リミットスイッチと、
前記案内板が前記初期位置に到達すると、前記移送モータに供給される電源を遮断する第２リミットスイッチとを含んでなることを特徴とする壁掛け型電子レンジの煙案内装置。
【発明の詳細な説明】
【０００１】
【発明の属する技術分野】
本発明は壁掛け型電子レンジに係り、より詳しくはガスレンジの使用時に電子レンジの下部から発生する煙を排出通路を通して案内する壁掛け型電子レンジの煙案内装置に関するものである。
【０００２】
【従来の技術】
一般に、壁掛け型電子レンジはガスレンジの上部の壁面に設置され、ガスレンジによる飲食物の調理の際に発生する湿気及び煙を吸入して外部へ排出するフードとしての機能をする。
【０００３】
図１は従来の壁掛け型電子レンジの煙案内装置を示す側断面図である。
同図に示すように、壁掛け型電子レンジの本体内には、飲食物の調理のための調理室（図示せず）と、各種の電装部品が内設される電装室とが相互区画されて設けられる。また、本体は、下部のガスレンジ２側から発生するガス又は煙を排気させるためのもので、本体１の後方上部に設けられた排気ファン３を備えている。
【０００４】
そして、本体１の下部には、排気ファン３が動作しているうち、下部から上昇するガス又は煙が吸入されるように排気流入口（図示せず）が設けられ、本体１の内部には排気流入口に吸入されたガスや煙を排気ファン３側に案内する排気流路４が設けられている。
【０００５】
また、本体１の下部の前方には、下部から上昇する煙を吸入口４側に案内するための煙案内装置５が設けられている。かかる煙案内装置５は、案内部材６の案内溝に挿着され前後に直線運動する案内板７の移動位置によってオン又はオフされるようにするリミットスイッチ８と、マイコンの制御信号により正回転又は逆回転して案内板７を移動させる移送モータ９と、リミットスイッチ８の出力信号に応じて移送モータ９を正逆回転させ、或いは停止させるマイコン１０とを含む。この移送モータ９のギヤ軸には、案内板７に設けられたラックギヤ１１と噛み合うピニオンギヤ１２が設けられることにより、移送モータ９の正回転又は逆回転によって案内板７を前後に移動させる。一例として、案内板７には進行方向に２本の溝が設けられ、リミットスイッチ８は案内板７の移動面と２本の溝の位置によっていろいろの出力信号を出力するように構成される。
【０００６】
従来の煙案内装置５において、マイコン１０はリミットスイッチ８の出力信号を読み取り、この出力信号に基づいて移送モータを制御して案内板７を案内板７の案内位置又は初期位置（元の位置）に移動させる。
【０００７】
しかし、従来の方法はマイコンを用いるので、総製造費用が上昇するだけでなく、マイコン１０を備えていない機械式電子レンジの場合には、前記のような煙案内装置を適用できない問題点がある。
【０００８】
【発明が解決しようとする課題】
したがって、本発明は前述した従来の問題点を解決するためのもので、その目的は、煙案内装置を制御するためのマイコンを別途に備えなく、煙案内装置の案内板の移動位置によってオン又はオフされるリミットスイッチ、排気モータの作動の際、電源を受けるリレーコイル、及び該リレーコイルの電源供給によりオン又はオフされる複数のリレースイッチにより前記煙案内装置を駆動させるための駆動回路を具現することにある。
【０００９】
本発明のほかの目的は、煙案内装置に直流用移送モータを適用した場合、前記煙案内装置を駆動させるための駆動回路を具現することにある。
本発明のさらにほかの目的は、煙案内装置に交流用移送モータを適用した場合、前記煙案内装置を駆動させるための駆動回路を具現することにある。
【００１０】
【課題を解決するための手段】
前記のような目的を達成するため、本発明は、電子レンジの下部の煙を外部へ排出させる排気モータ、前記煙を案内する案内板、及び前記案内板を初期位置と案内位置との間で移動させる移送モータを有する壁掛け型電子レンジの煙案内装置の制御装置において、前記排気モータの作動により前記移動板を前記案内位置と前記初期位置との間で移動させるため、電源を前記移送モータに供給するスイッチング部と、前記案内板が前記案内位置に到達すると、前記移送モータへの電源供給を遮断する第１リミットスイッチと、前記案内板が前記初期位置に到達すると、前記移送モータへの電源供給を遮断する第２リミットスイッチとを含んでなる壁掛け型電子レンジの煙案内装置の制御装置を提供する。
【００１１】
本発明のほかの実施例によると、本発明は、電子レンジの下部の煙を外部へ排出させる排気モータ、前記煙を案内する案内板、及び直流電源を受けて前記案内板を初期位置と案内位置との間で移動させる移送モータを有する壁掛け型電子レンジの煙案内装置の制御装置において、前記排気モータの作動により前記移動板を前記案内位置と前記初期位置との間で移動させるため、直流電源を前記移送モータに供給するスイッチング部と、前記案内板が前記案内位置に到達すると、前記移送モータへの直流電源供給を遮断する第１リミットスイッチと、前記案内板が前記初期位置に到達すると、前記移送モータへの直流電源供給を遮断する第２リミットスイッチとを含んでなる壁掛け型電子レンジの煙案内装置の制御装置を提供する。
【００１２】
本発明のさらにほかの実施例によると、下部の煙を電子レンジの外部へ排出させる排気モータと前記煙を案内する案内板とを有する壁掛け型電子レンジの煙案内装置において、交流電源を受けて前記案内板を初期位置又は案内位置に移動させる移送モータと、前記排気モータが作動すると前記案内板を前記案内位置に移動させるために前記移送モータに交流電源を供給し、前記排気モータの作動が停止されると前記案内板を前記初期位置に移動させるために前記移送モータに交流電源供給するスイッチング部と、前記案内板が前記案内位置に到達すると前記移送モータに供給される交流電源を遮断する第１リミットスイッチと、前記案内板が前記初期位置に到達すると前記移送モータに供給される交流電源を遮断する第２リミットスイッチとを含んでなる壁掛け型電子レンジの煙案内装置を提供する。
【００１３】
【発明の実施の形態】
以下、本発明の好ましい実施例を添付図面に基づいて詳細に説明する。
図２は本発明による壁掛け型電子レンジの煙案内装置の構成を示す斜視図である。
【００１４】
同図に示すように、案内部材２０には、案内板２１の前後スライド移動ができるように、長手方向に案内溝２２が設けられ、該案内溝２２には二つの孔２３が形成される。この孔２３には、案内板２１の案内位置と初期位置をそれぞれ感知する第１リミットスイッチ２４と第２リミットスイッチ２５の端子が突出されている。
【００１５】
案内板２１の一側には感知切欠部２６が形成されるので、案内板２１が移動して案内位置に到達すると、この感知切欠部２６を通過して第１リミットスイッチ２４の端子が突出して第１リミットスイッチ２４がオフされる。また、案内板２１は、初期位置では第２リミットスイッチ２５の端子を押し込むことで、第２リミットスイッチ２５をオフさせ、初期位置から案内位置に移動すると、第２リミットスイッチ２５の端子が正常位置に突出してオンされる。
【００１６】
そして、案内板２１の下面にはラックギヤ２７が設けられている。このラックギヤ２７は移送モータ２８の駆動軸２９に連結されたピニオンギヤ３０と噛み合って、駆動軸２９の回転方向によって案内板２１を案内位置又は初期位置に移動させる。
【００１７】
図３は本発明の実施例による壁掛け型電子レンジにおいて、直流用移送モータを備える煙案内装置の駆動回路図である。
【００１８】
同図に示すように、ガスレンジによる飲食物の調理時に発生する煙の温度が所定温度以上である場合にオンされるサーモスタット（Ｔ．Ｃ．Ｏ）の一側が外部交流電源１００に連結され、このサーモスタットの他側はサーモスタットのオン動作により外部交流電源を受けて、発生した煙を排気通路を通じて吸い込んで外部へ排出させる排気モータＶＭに連結される。この排気モータＶＭには、サーモスタット（Ｔ．Ｃ．Ｏ）のオン動作により外部交流電源を受けて当該リレースイッチＲａ１、Ｒｂ１、Ｒａ２、Ｒｂ２をオン又はオフさせるリレーコイルＲが並列で連結される。
【００１９】
そして、外部交流電源１００の両端から分岐されたラインには、外部交流電圧レベルを所定の電圧レベルに低めるための低電圧トランス（ＬＶＴ）が連結される。この低電圧トランス（ＬＶＴ）の両端には交流電源を直流電源に変換するための整流部２００が連結される。
【００２０】
また、整流部２００の一端と移送モータＭの正（＋）入力端との間には、平常時にはオン状態を維持し、リレーコイルＲに電源が供給された場合、オフ状態に切り換えられるリレー第１Ｂ接点スイッチＲｂ１が設けられる。また、整流部の一端と移送モータＭの負（−）入力端との間には、平常時にはオフ状態を維持し、リレーコイルＲに電源が印加された場合、オン状態に切り換えられるリレー第１Ａ接点スイッチＲａ１が設けられる。
【００２１】
そして、リレー第１Ｂ接点スイッチＲｂ１と移送モータＭの正（＋）入力端との間から分岐されリレー第２Ａ接点スイッチＲａ２と案内板２１の案内位置を感知する第１リミットスイッチＦＲＯＮＴ　ＳＷに直列で連結されて整流部２００の他側に連結される。
【００２２】
一方、リレー第１Ａ接点スイッチＲｂ２と移送モータＭの負（−）入力端との間から分岐されリレー第２接点Ｂ接点スイッチＲｂ２と案内板２１の初期位置を感知する第２リミットスイッチＲＥＡＲ　ＳＷに直列で連結されて整流部２００の他側に連結される。
【００２３】
以下、図３に示す本発明の実施例による直流用移送モータを備えた煙案内装置の駆動回路の動作を説明する。
【００２４】
ガスレンジの使用時、調理物から発生する煙の温度が一定温度以上である場合、サーモスタット（Ｔ．Ｃ．Ｏ）がオンされ、排気モータＶＭとリレーコイルＲに外部交流電源１００が供給される。したがって、排気モータＶＭが動作して煙を排気通路を通じて吸い込んで外部へ排出させる。
【００２５】
この際、リレーコイルＲに電源が供給されると、リレー第１Ｂ接点スイッチＲｂ１とリレー第２接点スイッチＲｂ２はオン状態からオフ状態に切り換えられ、リレー第１Ａ接点スイッチＲａ１とリレー第２接点スイッチＲａ２はオフ状態からオン状態に切り換えられる。
【００２６】
したがって、直流電源、リレー第１Ａ接点スイッチＲａ１、移送モータＭ、リレー第２Ａ接点スイッチＲａ２、及び第１リミットスイッチＦＲＯＮＴ　ＳＷがループを成し、移送モータＭが正回転して案内板２１が初期位置から案内位置に移動される。この際、第２リミットスイッチＲＥＡＲ　ＳＷは案内板２１の移動によりオフ状態からオン状態に切り換えられる。
【００２７】
そして、移送モータＭの正回転により案内板２１が案内位置に到達すると、案内板２１に形成された感知切欠部２６により第１リミットスイッチＦＲＯＮＴ　ＳＷの端子がオフされ、移送モータＭへの電源供給が中断されて案内板２１が停止する。したがって、厨房内に煙が拡散しないように、案内板２１が案内位置で煙を排気通路に案内する。
【００２８】
ガスレンジによる調理物の調理が完了すると、煙の温度が段々低くなるが、サーモスタット（Ｔ．Ｃ．Ｏ）は煙の温度が設定温度以下に低くなると、オフされて排気モータＶＭとリレーコイルＲに供給される外部交流電源を遮断させる。
【００２９】
したがって、リレー第１Ｂ接点スイッチＲｂ１とリレー第２Ｂ接点スイッチＲｂ２はオフ状態からオン状態に復帰し、リレー第１Ａ接点スイッチＲａ１とリレー第２接点スイッチＲａ２はオン状態からオフ状態に復帰する。
【００３０】
したがって、第２リミットスイッチＲＥＡＲ　ＳＷがオン状態であるので、直流電源、リレー第１Ｂ接点スイッチＲａ１、移送モータＭ、リレー第２Ｂ接点スイッチＲｂ２及び第１リミットスイッチＦＲＯＮＴ　ＳＷがループをなすので、移送モータＭが逆回転して案内板２１が案内位置から初期位置に移動する。この際、第１リミットスイッチＦＲＯＮＴ　ＳＷは再びオン状態を維持する。
【００３１】
そして、移送モータＭの逆回転により案内板２１が初期位置に到達すると、案内板２１に形成された第２リミットスイッチＲＥＡＲ　ＳＷの端子が押し込まれて第２リミットスイッチＲＥＡＲ　ＳＷをオフさせることにより、移送モータＭへの電源供給が中断され、案内板２１が停止する。したがって、案内板２１が元の位置に復帰し、煙の案内が終了する。
【００３２】
図４は本発明のほかの実施例による壁掛け型電子レンジにおいて、交流用移送モータを備えた煙案内装置の駆動回路図である。
【００３３】
図４に示すように、ガスレンジによる飲食物の調理時に発生する煙の温度が所定温度以上となるとオンされるサーモスタット（Ｔ．Ｃ．Ｏ）の一側が外部交流電源１００に連結され、このサーモスタット（Ｔ．Ｃ．Ｏ）の他側は、サーモスタット（Ｔ．Ｃ．Ｏ）のオン動作により外部交流電源を受けて、発生する煙を排気通路を通じて吸い込んで外部へ排出させる排気モータＶＭに連結される。この排気モータＶＭには、サーモスタット（Ｔ．Ｃ．Ｏ）のオン動作により外部交流電源を受けて当該リレースイッチＲａ、ＲｂをオンまたはオフさせるリレーコイルＲが並列で連結される。
【００３４】
そして、外部交流電源１００の一端と移送モータＭの正回転のための入力端との間には、平常時にはオフ状態を維持し、リレーコイルＲに電源が供給されるとオン状態に切り換えられるリレーＡ接点スイッチＲａと、前記リレーＡ接点スイッチＲａに直列で連結され、案内板２１の案内位置を感知する第１リミットスイッチＦＲＯＮＴ　ＳＷが連結される。
【００３５】
また、外部交流電源１００の一端と移送モータＭの逆回転のための入力端との間には、平常時にはオン状態を維持し、リレーコイルＲに電源が供給されるとオフ状態に切り換えられるリレーＢ接点スイッチＲｂと、前記リレーＢ接点スイッチＲｂに直列で連結され、案内板２１の初期位置を感知する第２リミットスイッチＲＥＡＲ　ＳＷが連結される。
【００３６】
以下、図４に示す本発明のほかの実施例による交流用移送モータを備えた煙案内装置の駆動回路の動作を説明する。
ガスレンジの使用時に調理物から発生する煙の温度が一定温度以上であると、サーモスタット（Ｔ．Ｃ．Ｏ）がオン動作され、排気モータＶＭとリレーコイルＲに外部交流電源を供給される。よって、排気モータＶＭが動作して煙を外気通路を通じて吸い込んで外部へ排出させる。
【００３７】
この際、リレーコイルＲに電源が供給されると、リレーＡ接点スイッチＲａはオフ状態からオン状態に切り換えられ、リレーＢ接点スイッチＲｂはオン状態からオフ状態に切り換えられる。
【００３８】
したがって、交流電源、リレーＡ接点スイッチＲａ、第１リミットスイッチＦＲＯＮＴ　ＳＷ、及び移送モータＭがループをなすので、移送モータＭが正回転して案内板２１が初期位置から案内位置に移動する。この際、第２リミットスイッチＲＥＡＲ　ＳＷは案内板２１の移動によりオフ状態からオン状態に切り換えられる。
【００３９】
そして、移送モータＭの正回転により案内板２１が案内位置に到達すると、案内板２１に形成された感知切欠部２６により第１リミットスイッチＦＲＯＮＴ　ＳＷの端子が突出して第１リミットスイッチＦＲＯＮＴ　ＳＷをオフさせることにより、移送モータＭへの電源供給が中断されて案内板２１が停止する。したがって、煙が厨房内に拡散しないように案内板２１が案内位置で煙を排気通路に案内する。
【００４０】
ガスレンジによる調理物の調理が完了すると、煙の温度が段々低くなるが、煙の温度が設定温度以下に低くなると、サーモスタット（Ｔ．Ｃ．Ｏ）がオフされて、排気モータＶＭとリレーコイルＲに供給される外部交流電源を遮断させる。
【００４１】
したがって、リレーＡ接点スイッチＲａはオン状態からオフ状態に復帰し、リレーＢ接点スイッチＲｂはオフ状態からオン状態に復帰する。
【００４２】
したがって、第２リミットスイッチＲＥＡＲ　ＳＷがオン状態であるので、交流電源、リレーＢ接点スイッチＲｂ、第２リミットスイッチＲＥＡＲ　ＳＷ、及び移送モータＭがループをなし、よって移送モータＭが逆回転して案内板２１が案内位置から初期位置に移動する。この際、第１リミットスイッチＦＲＯＮＴ　ＳＷは再びオン状態を維持する。
【００４３】
そして、移送モータＭの逆回転により案内板２１が初期位置に到達すると、案内板２１により第２リミットスイッチＲＥＡＲ　ＳＷの端子が押し込まれて第２リミットスイッチＲＥＡＲ　ＳＷがオフされ、よって移送モータＭへの電源供給が中断され案内板２１が停止される。したがって、案内板２１が元の位置に復帰して煙の案内が終了する。
【００４４】
【発明の効果】
以上説明したように、本発明は、煙案内装置の駆動の際、マイコンを用いないので、総製造費用を低める効果がある。
また、本発明はマイコンを用いない機械式電子レンジの場合にも、煙案内装置を適用することができる利点がある。
また、本発明は煙案内装置に交流用移送モータを適用することができる効果がある。
【図面の簡単な説明】
【図１】従来の壁掛け型電子レンジの煙案内装置の構造を示す側面図である。
【図２】本発明の一実施例による壁掛け型電子レンジの煙案内装置の構造を示す斜視図である。
【図３】本発明のほかの実施例による壁掛け型電子レンジにおいて、直流用移送モータを有する煙案内装置の駆動回路の回路図である。
【図４】本発明のさらにほかの実施例による壁掛け型電子レンジにおいて、直流用移送モータを有する煙案内装置の駆動回路の回路図である。
【符号の説明】
２０　案内部材
２１　案内板
２２　案内溝
２３　孔
２４　第１リミットスイッチ
２５　第２リミットスイッチ
２６　感知切欠部
２７　ラックギヤ
２８　移送モータ
２９　駆動軸
３０　ピニオンギヤ
【図１】
2004061098.tif 000003
【図２】
2004061098.tif 000004
【図３】
2004061098.tif 000005
【図４】
2004061098.tif 000006